(57)【要約】【課題】将来の家族構成の変化や生活様式の変化に対応させ得る間取りを判り易く顧客に提案し得るようにした住宅の設計図面の記載を支援する。【課題を解決するための手段】住宅の設計図面記載方法は、コンピュータにより住宅の図面を記載する方法であって、住宅の外形及び耐震壁配置不可領域４１と耐震壁配置不可線分４２並びに耐震壁配置候補線分Ｘ０〜Ｘ４，Ｙ０〜Ｙ３とからなる情報を入力する工程と、耐震壁配置候補線分Ｘ０〜Ｘ４，Ｙ０〜Ｙ３から耐震壁配置不可領域４１と耐震壁配置不可線分４２とを削除した耐震壁配置可能線分４３を演算する工程と、別途算出された必要耐震壁量を満足する耐震壁４４を耐震壁配置可能線分４３に配置する工程とを有する。【選択図】             図６
2004199718.tif 000002
【特許請求の範囲】
【請求項１】
コンピュータにより住宅の図面を記載する方法であって、住宅の外形及び耐震壁配置不可領域と耐震壁配置不可線分並びに耐震壁配置候補線分とからなる情報を入力する工程と、耐震壁配置候補線分から耐震壁配置不可領域と耐震壁配置不可線分とを削除した耐震壁配置可能線分を演算する工程と、別途算出された必要耐震壁量を満足する耐震壁を耐震壁配置可能線分に配置する工程と、を有することを特徴とする住宅の設計図面記載支援方法。
【請求項２】
コンピュータにより住宅の図面を記載する装置であって、住宅の外形及び耐震壁配置不可領域と耐震壁配置不可線分並びに耐震壁配置候補線分とからなる情報を入力する工程と、耐震壁配置候補線分から耐震壁配置不可領域と耐震壁配置不可線分とを削除した耐震壁配置可能線分を演算する工程と、別途算出された必要耐震壁量を満足する耐震壁を耐震壁配置可能線分に配置する工程と、を有することを特徴とする住宅の設計図面記載支援装置。
【発明の詳細な説明】
【技術分野】
【０００１】
本発明は、住宅の間取りを設計するに際し、顧客が要求している現在の間取りと、将来の変化への対応としての自由度の高い空間を持った住宅の設計図面の記載を支援するための方法と、この方法を実施するための装置に関するものである。
【背景技術】
【０００２】
住宅を設計する場合、設計者は顧客の現在の家族構成等に応じた要求を入れた新築時の間取りと、近い将来に生じるであろう家族構成の変化や生活様式の変化等に応じて想定した将来の間取りとの数種類の提案を行うのが一般的である。
【０００３】
しかし、将来の家族構成の変化等の条件は確定しているわけではないため、さまざまな変化の可能性がある。特に建物の寿命が伸びて数世代にわたる使用が想定されるような場合、将来に於ける建物の使用態様は予測し難くなる。このため、一般的な変化を取り入れた数種類の間取りの例を提案している。
【０００４】
また住宅の構造設計を行う場合、予め建物の外形形状と間取りを設定すると共に該間取りを実現する外壁や間仕切壁の位置、更に、前記外壁や間仕切壁に於ける耐震壁の位置を設定し、その後、設定された諸条件に基づいて構造計算を行うのが一般的である。
【発明の開示】
【発明が解決しようとする課題】
【０００５】
上記の如く、寿命の長い建物を要求する顧客は、経時的な居住人数の変化や生活様式の変化に対し如何様にも対応し得る間取りを求めている。しかし、前記変化を予測することは困難であり、顧客の要求に対し的確な提案を行うことは困難であるという問題がある。
【０００６】
特に、設計者が顧客の現在の家族構成等の条件から予測して将来の間取りの変化例を全て提案することは不可能であり、多数の変化例を提案する場合であっても、設計の作業量が多くなって負担が大きくなり過ぎるという問題がある。
【０００７】
また住宅の構造設計を行う場合、目的の建物の最終的な間取りが決定することが前提となり、間取りを決定する初期の段階で構造の検討を行うには手間が掛かり且つ設計変更が大変であるという問題がある。更に、コンピュータを利用して耐震壁を自動的に配置した場合、将来の間取りの変化に対応させることが困難であるという問題がある。
【０００８】
本発明の目的は、将来の変化に対応させ得る間取りを判り易く顧客に提案し得るようにした住宅の設計図面の記載を支援する方法と、この方法を実現する装置を提供することにある。
【課題を解決するための手段】
【０００９】
上記課題を解決するために本発明に係る住宅の設計図面記載方法は、コンピュータにより住宅の図面を記載する方法であって、住宅の外形及び耐震壁配置不可領域と耐震壁配置不可線分並びに耐震壁配置候補線分とからなる情報を入力する工程と、耐震壁配置候補線分から耐震壁配置不可領域と耐震壁配置不可線分とを削除した耐震壁配置可能線分を演算する工程と、別途算出された必要耐震壁量を満足する耐震壁を耐震壁配置可能線分に配置する工程と、を有することを特徴とするものである。
【００１０】
また本発明に係る住宅の設計図面記載支援装置は、コンピュータにより住宅の図面を記載する装置であって、住宅の外形及び耐震壁配置不可領域と耐震壁配置不可線分並びに耐震壁配置候補線分とからなる情報を入力する工程と、耐震壁配置候補線分から耐震壁配置不可領域と耐震壁配置不可線分とを削除した耐震壁配置可能線分を演算する工程と、別途算出された必要耐震壁量を満足する耐震壁を耐震壁配置可能線分に配置する工程と、を有して構成されるものである。
【発明の効果】
【００１１】
本発明に係る住宅の設計図面記載支援方法では、最終的な間取りが決定されていなくとも、住宅の外形を決定し、且つユニバーサル空間に相当する耐震壁配置不可領域と、外壁や間仕切り壁に形成する開口部に相当する耐震壁配置不可線分、及び外壁や撤去することのない間仕切り壁を想定した耐震壁配置候補線分を任意に選択して設定することで、この耐震壁配置候補線分から耐震壁配置不可領域及び耐震壁配置不可線分を削除することで耐震壁配置可能線分を得ることが出来る。従って、別途算出した耐震壁数を耐震壁配置可能線分に配置することで、構造計算を行うことが出来る。このため、自由度の高い平面（ユニバーサル空間）を持った住宅に対する構造設計を容易に実現することが出来る。
【００１２】
特に、耐震壁の配置不可領域及び配置不可線分以外の部位では、何度でも耐震壁を配置して構造の検討を行なうことが出来るため、間取りの変更が生じた場合であっても、極めて容易に再検討を行なうことが出来る。また予め構造の検討を行なった後、間取りの計画を行なうことが出来るため、手戻りが少なく、作業を容易に進めることが出来る。更に、計画の進行に合わせて耐震壁の再配置が出来るため、構造検討と同時進行で設計を行なうことが出来る。このため、設計計画検討を省力化することが出来る。
【００１３】
耐震壁配置不可領域内の間取りは自由に設定することが出来るため、将来生じる家族構成の変化や生活様式の変化に対応した間取りを容易に計画することが出来る。
【発明を実施するための最良の形態】
【００１４】
以下、住宅の設計図面記載支援方法の好ましい例について図を用いて説明する。図１は図面セットの構成を説明する図である。図２は新築時の各階の間取り及び屋根の平面を示す図である。図３はユニバーサル空間を記載した平面図を示す図である。図４は間仕切り壁と居室空間との関係と居室空間の使い方の例を説明する図である。図５は間仕切り壁と居室空間との関係と居室空間の使い方の例を説明する図である。図６は住宅の設計支援方法の手順を示すフローチャートである。図７は住宅の設計支援方法の手順を説明する図である。
【００１５】
図１に示す図面セットＡは、寿命の長い住宅を建築するに際し、顧客に対して新築時の間取りを記載した第１平面図１と、前記第１平面図に記載された間取りから間仕切壁の位置を自由に変更して変化のある間取りを計画することが可能なユニバーサル空間を記載した第２平面図２とからなり、各平面図１，２をセットとして顧客にプレゼンテーションすることで、将来、家族構成の変化や生活様式の変化が生じたとき、これらの変化に対して間取りを如何に対応させ得るかを顧客に判り易い形で説明することを実現したものである。平面図１，２は、夫々独立した図面からなる図面セットＡとしてプレゼンテーションしても良く、また図に示すように１枚のシートに記載した図面セットＡとしてプレゼンテーションしても良い。
【００１６】
また同図に示す図面セットＢは、上記した第１平面図１と第２平面図２に加えて、将来の変化を先取りした例を、居住空間の形状と夫々の居住空間の利用状態の例を記載した第３平面図３を有し、これらの第１平面図１〜第３平面図３を顧客にプレゼンテーションすることで、将来の変化をより判り易く説明し得るようにしたものである。前述した図面セットＡと同様に、各平面図１〜３は夫々独立した図面からなる図面セットＢとしてプレゼンテーションしても良く、また図に示すように１枚のシートに記載した図面セットＢとしてプレゼンテーションしても良い。
【００１７】
第１平面図１には、図２に示すように新築時の各階の間取り及び屋根（１階の平面図１ａ，２階の平面図１ｂ，屋根伏図１ｃ）を示す複数の平面図が記載されており、各階の平面図１ａ，１ｂは目的の住宅に居住する現在の家族構成と生活様式に基づいて設計されている。
【００１８】
また建物の外形形状は、本件出願人が開発して既に特許出願している「建物のプレゼンテーション用シートユニット」（特願平９−４５８２３号）に開示した技術に基づく、敷地情報，敷地ゾーニング情報，平面図情報等の情報を考慮して設計される。
【００１９】
図２（ａ）に示すように、１階には玄関11，風呂場，洗面所12，便所13，階段14，キッチン15，ダイニング16が配置され、必要に応じて和室17が配置される。前記各部11〜17は外壁５及び間仕切壁６，７によって区画されている。前記間仕切壁６は撤去不能の間仕切壁であり、間仕切壁７は撤去可能な間仕切壁である。また同図（ｂ）に示すように、２階には便所13，階段14，３つの寝室18，納戸19が設定されている。尚、同図（ｃ）は屋根の平面形状を示す図である。
【００２０】
上記第１平面図１ａ，１ｂは一般的な間取り図と同様であるが、後述するユニバーサル空間の思想と、この思想を実現するための撤去可能な間仕切壁７が構成されている点で特徴を有する。
【００２１】
ここで、ユニバーサル空間の思想は、１階，２階或いはより上層階がある場合には、個々の階に制限されることなく各階の間取り構成に生かされる。しかし、各階の平面図１ａ，１ｂ夫々についてユニバーサル空間の構成を説明することは煩雑になる虞があるため、各階を代表して１階の構成について説明する。
【００２２】
玄関11は住宅の外形形状や道路の方角との関係で位置が決定されるため、将来位置を変化させる可能性は少ない。風呂場，洗面所12は壁や床の構造が居室部分と比較して特殊であり、位置を変化させるには高いコストが要求されるため、将来位置を変化させる可能性は少ない。同様に便所13も敷地に於ける下水道の取込み位置との関係で位置が決定されることが多く、且つ床の構造が居室部分と比較して特殊であり、将来位置を変化させる可能性は少ない。更に、階段14は上階との関係があり、且つ構造が特殊であるため、将来位置を変化させる可能性は少ない。
【００２３】
キッチン15は水道配管，排水管及びガス配管等の配管が必要であるが、これらは、風呂場，洗面所12や便所13に於ける水道配管や排水管等の敷設構造と比較して簡易であり、比較的容易に位置の変化に対応することが可能である。またダイニング16及び和室17は住宅に於ける最も標準的な構造であり、位置の変化に充分に対応することが可能である。
【００２４】
上記の如く住宅を構成する要素には、比較的容易に位置を変化させ得るものと、殆ど位置を変化させ得ないものとがある。従って、位置の変化の自由度のないものを集中して配置すると共に、残りの部分に位置の変化の自由度の高い居室を配置することが可能である。
【００２５】
即ち、第１平面図１に示す１階の平面図１ａに於いて、玄関11〜階段14の配置部分は将来生じる家族構成の変化や生活様式の変化に関わらず変化することのない領域であり、キッチン15〜和室17の配置部分は家族構成の変化や生活様式の変化に対応して変化する領域として設定される。前記家族構成の変化や生活様式の変化に対応して変化する領域に設置された間仕切壁７には耐震壁が配置されることがなく、該間仕切壁７を撤去ても建物の構造に影響を与えることがない。
【００２６】
このように、位置の変化に対する自由度の高い要素を集めると共に間仕切壁７を撤去可能な構造とした空間を、将来、子供が独立することによる居住人数の減少、或いは二世代が同居することによる居住人数の増加等の家族構成の変化や、自宅の一部を店舗や事務所にするような生活様式の変化に対応させたユニバーサル空間として設定する。
【００２７】
従って、建物の構造上必要な耐震壁は、外壁５と玄関11〜階段14を区画する撤去不能な間仕切壁６に配置されることとなる。これらの外壁５及び撤去不能な間仕切壁６に対する耐震壁の配置は、後述する住宅の設計支援方法で解決するものである。
【００２８】
第２平面図２は、図３（ａ）に示すユニバーサル空間平面図２ａと、同図（ｂ）に示すコーナー平面図２ｂとを有している。ユニバーサル空間平面図２ａは新築時の間取りである図２（ａ）に記載された内容から、将来生じる家族構成の変化や生活様式の変化に対応させて変化させる領域に属する部分を消去すると共に該領域に属する撤去可能な間仕切壁７を消去して構成したユニバーサル空間20が記載されている。
【００２９】
ユニバーサル空間20は単なる空間として記載されていても良いが、予め設定された間隔を持って縦横に配置した複数の線21ａ，21ｂからなる多数のグリッド21を記載しておくことが好ましい。グリッド21を構成する線21ａ，21ｂの間隔は特に限定するものではないが、建物に設定されたモジュール寸法に対応させた寸法であることが好ましい。
【００３０】
各平面図２ａ，２ｂに示すように、線21ａ，21ｂの間隔を９１５mmに対応させて設定しており、１つのグリッド21が畳半分の大きさに対応する。
【００３１】
上記の如くユニバーサル空間20を記載したユニバーサル空間平面図２ａでは、該ユニバーサル空間20の縦横の寸法と面積を容易に認識することが可能であり、且つ該ユニバーサル空間20に記載された多数のグリッド21を基準として間取りの計画を練ることが可能である。
【００３２】
またコーナー平面図２ｂでは、ユニバーサル空間20が更に小さい面積を持った複数のコーナー22として設定され、各コーナー22は薄く色付けした状態で、或いは網かけした状態で記載されている。この場合、ユニバーサル空間20に記載された多数のグリッド21、及びコーナー22を参考として間取りの計画を練ることが可能である。
【００３３】
従って、第１平面図１を構成する１階の平面図１ａと、第２平面図を構成するユニバーサル空間平面図２ａ及び、又はコーナー平面図２ｂとからなる図面セットＡを顧客にプレゼンテーションすることで、これらの平面図１ａ，２ａ，２ｂを提示された顧客は、新築時の間取り構成を認識して満足すると共に将来生じるであろう家族構成の変化や生活様式の変化を想定した間取りを計画することが可能である。
【００３４】
このため、設計者は顧客に対し、目的の建物が有する間取り設定の自由度の高さを判り易く説明することが可能となり、且つ顧客は設計者の説明を受けて、或いは独自に自由度の高さに基づく多様な変化態様を確かめることが可能となる。
【００３５】
上記第１平面図１と第２平面図２とからなる図面セットＡに加えて図４又は図５に示すユニバーサル空間20に設置する間仕切壁と居室空間の関係を示す例と該居室空間の使い方の例を記載した第３平面図をプレゼンテーションすることで、顧客に対しより具体的な将来の変化に対する対応の例を判り易く説明することが可能である。また図３に示すようなグリッド21を記載した個所を色付けして判り易くすることも好ましく、グリッドを記載することなく色付けのみであっても良い。
【００３６】
即ち、図４（ａ）に示す第３平面図３ａ1，３ａ2は、はユニバーサル空間20に間仕切壁７ａを設置することによって26.5帖の居室ゾーン31と4.5帖の居室ゾーン32を形成し、居室ゾーン31を居間兼食堂更に子供の遊び場として使用し、居室ゾーン32をキッチンとして使用する例を示すものである。この例は子供が小さいときに有利な間取りである。
【００３７】
同図（ｂ）に示す第３平面図３ｂ1，３ｂ2は、ユニバーサル空間20に間仕切壁７ａ，７ｂを設置することによって、4.5帖の居室ゾーン32と、8.0帖の居室ゾーン33及び16.5帖の居室ゾーン34を形成し、居室ゾーン32キッチンとして使用すると共に居室ゾーン33を介護室として使用し、居室ゾーン34を居間兼食堂として使用する例を示すものである。この例は新築後、介護が必要な家族が生じた場合に有利な間取りである。
【００３８】
図５（ａ）に示す第３平面図３ｃ1，３ｃ2は、ユニバーサル空間20に間仕切壁７ａ，７ｃを設置することによって、4.5帖の居室ゾーン32を形成すると共に17.0帖の居室ゾーン35及び9.5帖の居室ゾーン36を形成し、居室ゾーン32をキッチンとして使用し、居室ゾーン35を居間兼食堂として使用し、更に、居室ゾーン36をホームシアター等の趣味空間として使用する例を示すものである。この例は趣味空間を設置し得るような空間的余裕が生じた場合に有利な間取りである。
【００３９】
同図（ｂ）に示す第３平面図３ｄ1，３ｄ2は、ユニバーサル空間20に間仕切７ｄを設置することによって、17.0帖の居室ゾーン37と14.0帖の居室ゾーン38を形成し、居室ゾーン37を主寝室として使用すると共に居室ゾーン38をＬＤＫとして使用する例を示すものである。この例は二世代が同居するようになったときの解決例の一つである。
【００４０】
上記第３平面図３ａ1〜３ｄ1の中から選択された１又は複数の図面を顧客にプレゼンテーションして、ユニバーサル空間20に設定し得る居室ゾーンの例を説明することで、顧客はユニバーサル空間20の使い方を理解すると共に該ユニバーサル空間20を独自に使用することも可能である。
【００４１】
従って、図面セットＡに対し上記第３平面図３ａ1〜３ｄ1の中から選択された１又は複数の図面を加えて図面セットＢを構成し、この図面セットＢを顧客にプレゼンテーションすることで、顧客は第１平面図１ａに基づく新築時の間取りと、第２平面図２ａ，２ｂに基づくユニバーサル空間20と、第３平面図３ａ1〜３ｄ1に基づく将来に生じる家族構成の変化や生活様式の変化に対応した変化例を容易に認識することが可能となり、設計者の説明が各平面図１〜３と共になされるため、極めて判り易くなる。
【００４２】
上記の如く構成された図面セットＡでは、新築時の間取りを記載した第１の平面図と、第１の平面図から耐震壁を含むことがなく且つ撤去可能な壁を消去して構成した空間を記載した第２の平面図とを有するので、顧客に対し自由度の高い空間が充分に確保されていることを訴えることが可能であり、且つ該空間の多様な変化に対する対応性を判り易く提案することが可能となり、的確なプレゼンテーションを行うことが可能である。
【００４３】
特に、第２の平面図に於ける空間を９１５mmに対応させた複数の線により形成した多数のグリッドとして記載した場合、該グリッドを面積の基準として認識することが容易となり、この空間の規模、形状の把握が容易になり、設計者と顧客が将来の変化に対応し得る間取りの検討、即ち、設計プロセスを共有することが可能となる。
【００４４】
また顧客に対し、自由度の高い空間を提示することによって、将来の変化に対応させた多数の計画を提案する必要がなくなり、設計作業を軽減することが可能となる。
【実施例１】
【００４５】
次に、上記住宅の設計図面の記載を支援する方法について図６，図７により説明する。前述したように、有効なユニバーサル空間20を設定するには、ユニバーサル空間20以外の部位に於ける外壁５と間仕切壁６とに耐震壁を配置することで、建物の強度を満足させることが必須である。
【００４６】
本実施例に係る設計図面記載支援方法は、ユニバーサル空間20を有する間取りを設計する段階で容易に構造計算を実施することが可能であり、且つ設計変更にも容易に対応し得るものである。特に、建物の外形が設定されたとき、目的の階に於ける耐震壁を配置してはいけない領域と、耐震壁を配置してはいけない線分と、耐震壁を配置しても良い線分を指定することで、間取り及び間仕切壁の決定を必要条件とせずに目的の建物の構造計算を実行して設計の支援を行なうことが可能である。
【００４７】
尚、以下の手順は住宅を構成する各階毎に行なわれるものであるが、説明が煩雑になるため、代表して１階に対する設計支援方法の手順を説明する。
【００４８】
本実施例に係る設計図面記載支援方法では、図６に示すように、支援手順をスタートし、ステップＳ１では、建物の形状を入力する。この建物の形状は、図２（ａ）に示す１階平面図１ａに於ける外壁５の線、及び外壁５に形成される開口部８、図示しない躯体の輪郭線、間仕切壁６，７であり、同様に同図（ｂ）に示す２階平面図１ｂに於ける外壁５の線、及び外壁５に形成される開口部８、図示しない躯体の輪郭線、及びベランダ含む床面外周線、間仕切壁である。従って、前記各情報を建物の形状として入力する。特に、建物の重量を算出する場合には、前記情報に加えて、同図（ｃ）に示す屋根の形状も入力され、同時に屋根の材料や床の材料等の重量を算出するのに必要な情報も入力される。
【００４９】
ステップＳ１に於いて、建物の外壁５の線を入力することは必須であるが、開口部８や間仕切壁６，７を入力することは必ずしも必須ではない。即ち、最低限建物の外壁５の線を入力することで、以下のステップに進行することが可能であり、且つ各ステップを経ることで、設計を支援することが可能である。
【００５０】
次にステップＳ２では、耐震壁配置候補線分を入力する。この耐震壁配置候補線分は耐震壁を配置する候補となる外壁５、及び間仕切壁６或いは該間仕切壁６を想定した部位に相当する線分であって、建物の形状に合わせて任意に選択された線分である。従って、前記選択された線分を指定して耐震壁配置候補線分として入力する。
【００５１】
本実施例では図７に示すように、左右方向（Ｘ方向）では、建物の最も左側に位置する外壁５を基準線Ｘ０とし、玄関11のポーチに対応する外壁５を候補線Ｘ１とし、更に便所13と階段14との境界を構成する間仕切壁６を候補線Ｘ２とし、階段14の右側を構成する間仕切壁６を候補線Ｘ３とし、建物の最も右側の外壁５を候補線Ｘ４として設定して入力する。更に、上下方向（Ｙ方向）では、最も下方の外壁５を基準線Ｙ０とし、玄関11の下側に対応する部位を候補線Ｙ１とし、玄関11のホールと風呂場，洗面所12との境界に対応する間仕切壁６を候補線Ｙ２とし、最も上方の外壁５を候補線Ｙ３として設定して入力する。
【００５２】
次にステップＳ３では、耐震壁配置不可領域を入力する。この耐震壁配置不可領域は、外壁５の線で囲まれた内部に於ける耐震壁を配置してはいけない領域、即ち、ユニバーサル空間20に対応する領域であり、この情報を耐震壁配置不可領域として入力する。
【００５３】
ユニバーサル空間20は、必ずしも図２（ａ）に示す１階平面図１ａに於ける間取りから玄関11〜階段14を除いた部分として設定すべきものではなく、建物の形状を決定した後、該形状に対し第１順位で設定しても良い。この場合、予め１階に配置すべき要素（玄関11〜階段14）を決定しておくと共に各要素に必要な面積、及び概略配置位置を想定しておくことは必要である。
【００５４】
本実施例では図３（ａ）のユニバーサル空間平面図２ａに示すように、玄関11、風呂場，洗面所12、便所13、階段14を除く部分をユニバーサル空間20として設定しており、図７に於けるユニバーサル空間20に対応する斜線部分の領域を耐震壁配置不可領域41として入力する。この耐震壁配置不可領域41の情報を入力することによって、ステップＳ２で入力した各方向の候補線Ｘ２，Ｘ３，Ｙ１，Ｙ２に於ける耐震壁配置不可領域41の内部に入り込んでいる部分は耐震壁を配置し得ない部分として認識される。
【００５５】
次にステップＳ４では、耐震壁配置不可線分を入力する。この耐震壁配置不可線分は、ステップＳ２で入力した耐震壁配置候補線分Ｘ０〜Ｘ４，Ｙ０〜Ｙ３に於ける耐震壁を配置してはいけない部分、即ち、出入口や窓、或いは換気扇等を設置する可能性の高い部分に対応する線分であり、この線分の情報を耐震壁配置不可線分として入力する。
【００５６】
本実施例では、図７に於けるＹ方向の基準線であるＹ０（外壁５の線に相当する）の３か所を耐震壁配置不可線分42として入力し、候補線Ｙ１の１か所を耐震壁配置不可線分42として入力している。しかし、入力された耐震壁配置不可線分42に対応する部分を必ずしも出入口や窓として構成する必要はなく、外壁５や間仕切壁として構成しても良い。
【００５７】
即ち、外壁５や撤去不能の間仕切壁６であって建物の外形を入力したときに開口部８として入力された部分は、前記外壁５や間仕切壁６が耐震要素配置候補線分として選択された場合であっても耐震壁配置不能部として認識され、耐震壁が配置されることがない。従って、建物の外形が入力されたとき、開口部を構成すべき部位でありながら、該開口部を構成するか否かが決定されず、或いは開口部のサイズが決定されていない部位を耐震壁配置不可線分42として入力することで、耐震壁配置候補線分Ｘ０〜Ｘ４，Ｙ０〜Ｙ３に於ける耐震壁配置不可線分42は耐震壁を配置い得ない線分として認識される。
【００５８】
上記ステップＳ２〜ステップＳ４は必ずしも順序を限定するものではなく、必要に応じて適宜順序を変更しても良い。
【００５９】
上記各ステップＳ１〜ステップＳ４を経ることによって、建物の外壁５、耐震壁配置候補線分Ｘ０〜Ｘ４，Ｙ０〜Ｙ３、耐震壁配置不可領域41、耐震壁配置不可線分42が夫々記載された検討用の図面を得ることが可能である。また場合によっては、予め別の工程で、外壁５，玄関11〜階段14，間仕切壁６を考慮した図面が作成されることもある。
【００６０】
従って、ステップＳ５では、得られた図面が検討用である場合にはステップＳ７に進行するように、また別の工程で作成された壁を考慮した図面が提示された場合にはステップＳ６に進行するように選択する。
【００６１】
ステップＳ６では、作成された図面を編集する。この編集は、図面に於ける外壁及び間仕切壁と耐震壁配置候補線分を一致させると共に該耐震壁配置候補線分を構成する外壁及び間仕切壁から開口部に対応する部分を耐震壁配置不可線分として削除し、更に、ユニバーサル空間20に対応する領域を耐震壁配置不可領域として排除することで行なわれる。そして別の工程で作成された図面に対し、前記の如き編集を加えることで、検討用の図面としての体裁が整えられてステップＳ７に進行する。
【００６２】
次に、ステップＳ７では別途算出した必要耐力壁数Ｎを入力する。必要耐力壁数Ｎは、建物に作用する水平力に応じて設定されるものであり、該建物のＸ方向及びＹ方向に作用する水平力を算出し、この水平力と耐力壁の許容荷重とによって各方向に配置すべき耐力壁の数を算出することが可能である。そして算出された各方向に対応する耐力壁の数Ｎを夫々入力する。前記演算は必ずしもコンピュータを用いる必要はなく、手計算でも充分である。
【００６３】
次に、ステップＳ８では耐震壁配置可能線分を作成する。この耐震壁配置可能線分は、耐震壁配置候補線分Ｘ０〜Ｘ４，Ｙ０〜Ｙ３に於ける耐震壁を配置しても差し支えのない線分であり、該耐震壁配置候補線分Ｘ０〜Ｘ４，Ｙ０〜Ｙ３から耐震壁配置不可領域と耐震壁配置不可線分42を削除したものである。
【００６４】
上記ステップＳ１〜ステップＳ８を経ることで、図７に示すように、耐震壁配置候補線分Ｘ０〜Ｘ４，Ｙ０〜Ｙ３に於ける耐震壁配置可能線分43を設定することが可能である。
【００６５】
次に、ステップＳ９では耐震壁配置可能線分43に対し耐震壁44を配置する。例えばステップＳ７で得られた各方向の耐震壁数Ｎが夫々４である場合、耐震壁配置候補線分Ｘ０〜Ｘ４，Ｙ０〜Ｙ３に於ける耐震壁配置可能線分43に対し選択的に４つの耐震壁44を配置する。
【００６６】
耐震壁配置可能線分43に対して耐震壁44を配置する場合、各耐震壁44をバランス良く配置することが好ましい。そしてこの配置作業は、設計者が手作業で行なっても良く、コンピュータを利用して行なうことも可能である。
【００６７】
特に、耐震壁44の配置をコンピュータを利用して行なう場合、設定された耐震壁配置可能線分43に対して４つの耐震壁44を配置し得る全ての組み合わせからなるパターン候補を抽出し、このパターン候補毎に、耐震壁44の柱に対する接触の度合いを評価する柱隣接度、同一の平面に配置された複数の耐震壁44の離れ度合いを評価する平面的分散度、上階と下階に配置された複数の耐震壁44の離れ度合いを評価する立面的分散度等を判定して点数付けを行って評価し、最も良い評価を得たパターン候補を耐震壁44の配置パターンとすることが可能である。この方法では、コンピュータを利用して可能性のある全ての配置パターンの中から最も適した配置を選択することが可能である。
【００６８】
次に、ステップＳ１０では、ステップＳ９で耐震壁44を配置した建物について構造計算を行う。この構造計算の結果、必要な強度を満足すれば一連の作業を終了し、強度を満足し得ない場合、例えばステップＳ１に戻って外形形状から設計を変更し、再度ステップＳ１０まで一連の作業を実施する。
【００６９】
上記の如くして建物の設計を支援することが可能である。特に、この方法では、必ずしも玄関11や水回り或いは階段14等の要素の位置や構成、或いは間仕切壁５の位置や構成を具体的に設定することなく、構造計算を進行することが可能である。
【産業上の利用可能性】
【００７０】
本発明の設計図面記載支援方法を実施した場合、目的の住宅に於けるユニバーサル空間を考慮した設計図面を容易に記載することが可能となり、顧客に対して間取りの変更に対する自由度の高い住宅の設計図面を提示することが可能となる。
【図面の簡単な説明】
【００７１】
【図１】図面セットの構成を説明する図である。
【図２】新築時の各階の間取り及び屋根の平面を示す図である。
【図３】ユニバーサル空間を記載した平面図を示す図である。
【図４】間仕切り壁と居室空間との関係と居室空間の使い方の例を説明する図である。
【図５】間仕切り壁と居室空間との関係と居室空間の使い方の例を説明する図である。
【図６】住宅の設計支援方法の手順を示すフローチャートである。
【図７】住宅の設計支援方法の手順を説明する図である。
【符号の説明】
【００７２】
Ａ，Ｂ                        図面セット
Ｘ０〜Ｘ４，Ｙ０〜Ｙ３        耐震壁配置候補線分
１                            第１平面図
１ａ                          １階平面図
１ｂ                          ２階平面図
１ｃ                          屋根伏図
２                            第２平面図
２ａ                          ユニバーサル空間平面図
２ｂ                          コーナー平面図
３，３ａ1〜３ｄ2              第３平面図
５                            外壁
６，７，７ａ〜７ｄ            間仕切壁
８                            開口部
11                            玄関
12                            風呂場，洗面所
13                            便所
14                            階段
15                            キッチン
16                            ダイニング
17                            和室
18                            寝室
19                            納戸
20                            ユニバーサル空間
21                            グリッド
21ａ，21ｂ                    線
22                            コーナー
31〜38                        居室ゾーン
41                            耐震壁配置不可領域
42                            耐震壁配置不可線分
43                            耐震壁配置可能線分
44                            耐震壁
【図１】
2004199718.tif 000003
【図２】
2004199718.tif 000004
【図３】
2004199718.tif 000005
【図４】
2004199718.tif 000006
【図５】
2004199718.tif 000007
【図６】
2004199718.tif 000008
【図７】
2004199718.tif 000009